(57)【特許請求の範囲】
【請求項１】
本体筐体の外表面にカード配置領域を有し、前記カード配置領域に配置された非接触型ＩＣカードに対して、前記本体筐体の内部に設けた処理制御部との間の無線通信によって所望の処理を行うカード処理装置において、
前記カード配置領域との間にＩＣカードの収容域を確保し、かつこの収容域に対するＩＣカードの挿入口を確保した状態で前記カード配置領域を覆うカバー部材を前記本体筐体に対して着脱可能に配設し、かつ前記本体筐体と前記カバー部材との間に施錠手段を設けたものであり、
前記施錠手段は、
前記カバー部材を前記本体筐体に配設した場合に前記本体筐体に設けたフック挿入孔に挿通されるように前記カバー部材に設けたフック爪と、
前記本体筐体に取り付けられ、鍵孔に鍵を挿入した場合にのみ回転可能となるキーシリンダと、
前記フック爪に係合可能となる係止壁を有し、前記係止壁が前記フック挿入孔から退避した位置と前記フック挿入孔に突出した位置との間を移動するように前記本体筐体に対してスライド可能に配設したロックスライダと、
前記キーシリンダから径外方向に延在して前記ロックスライダに係合し、前記キーシリンダの回転に伴って前記ロックスライダをスライドさせるロックレバーと
を備え、前記係止壁が前記フック挿入孔から退避した場合に前記フック挿入孔に対する前記フック爪の挿入を許容する一方、前記フック爪が前記フック挿入孔に挿通された状態で前記係止壁が前記フック挿入孔に突出した場合に前記フック爪を介して前記カバー部材の移動を阻止するものであり、
前記本体筐体と前記ロックスライダとの間には、前記係止壁が前記フック挿入孔に対して突出した状態と退避した状態とのいずれか２位置に配置させるクリックバネを設けたことを特徴とするカード処理装置。
【請求項２】
前記キーシリンダは、前記本体筐体の外表面に鍵孔を有したことを特徴とする請求項１に記載のカード処理装置。
【請求項３】
前記施錠手段は、前記本体筐体に対する前記カバー部材の移動を阻止する状態が解除された場合、前記カード配置領域から前記カバー部材を押し出すカバー押出手段を備えたことを特徴とする請求項１に記載のカード処理装置。
【請求項４】
前記カード配置領域と前記カバー部材との間において挿入口側の端部に進退可能に配設し、退避した場合にＩＣカードの通過を許容する一方、突出した場合にはＩＣカードの通過を阻止するストッパ部材を備えることを特徴とする請求項１に記載のカード処理装置。
【請求項５】
前記ストッパ部材は、前記本体筐体に形成した貫通孔に配設したものであり、前記本体筐体の内部に設けたアクチュエータの駆動によって進退移動することを特徴とする請求項４に記載のカード処理装置。
【請求項６】
前記カバー部材は、
前記カード配置領域に対向する部位に、前記挿入口に近接離反する方向に沿って移動可能に配設し、前記挿入口からＩＣカードが挿入された場合にＩＣカードに押圧されて前記挿入口から離隔する方向に移動するカードホルダと、
前記カバー部材に対して前記カードホルダを挿入口側に向けて付勢するエジェクトバネと
を備えたものであり、
前記エジェクトバネは、前記ストッパ部材が突出した場合に前記カードホルダに挿入されたＩＣカードが前記ストッパ部材に当接することにより引っ張られた状態に維持され、前記ストッパ部材が退避した場合に復元力によって前記カードホルダを挿入口側に移動させることを特徴とする請求項４に記載のカード処理装置。
【請求項７】
前記カードホルダと前記本体筐体との間に、前記エジェクトバネのバネ力による前記カードホルダの移動に抵抗を与える緩衝機構を設けたことを特徴とする請求項６に記載のカード処理装置。
【請求項８】
前記緩衝機構は、前記カードホルダに形成したラックと、このラックに歯合するピニオンギヤと、前記本体筐体に配設し、前記ピニオンギヤの回転に制動を加えるように作用するロータリダンパとを備えて構成したことを特徴とする請求項７に記載のカード処理装置。
【請求項９】
前記処理制御部は、前記本体筐体の内部に無線通信を行うためのアンテナを備え、
前記カバー部材には、前記本体筐体のアンテナを覆う位置に電磁遮蔽板を配設したことを特徴とする請求項１に記載のカード処理装置。
【請求項１０】
前記本体筐体の上部に位置する外表面に凹部を設けることによって前記カード配置領域を構成し、このカード配置領域を構成する凹部の開口縁部に前記カバー部材を嵌合させることによって前記本体筐体の前面に前記挿入口を開口させ、かつ前記カード配置領域の周囲に位置する本体筐体の外表面に対して連続した面を構成するように前記カバー部材の外表面を形成したことを特徴とする請求項１に記載のカード処理装置。
【発明の詳細な説明】
【技術分野】
【０００１】
本発明は、非接触型ＩＣカードを処理対象として読み取りや書き込み等の処理を行うカード処理装置に関するものである。
【背景技術】
【０００２】
昨今においては、硬貨や紙幣の代わりに、ＩＣカードに記録した有価データを用いる決済方法が広く一般に普及している。この決済方法は、例えばＩＣカードに予め有価データを記録しておき、商品の購入やサービスを受けた場合に、ＩＣカードの有価データを減算することで対価の支払いを行うものである。この種の決済方法で適用されるＩＣカードとしては、接触型のものと非接触型のものとがあるが、接点の接触不良や摩耗等の問題を招来する恐れのない後者が多く用いられている。
【０００３】
非接触型ＩＣカードを対象とするカード処理装置では、通常、本体筐体の外表面にカード配置領域が設けられているとともに、このカード配置領域が通信距離内となるように本体筐体の内部に処理制御部が設けられており、カード配置領域にＩＣカードが載置されれば、処理制御部を介して有価データの読み取りや書き込みを行うことが可能となる。
【０００４】
有価データの減算処理を行うタイミングとしては、商品の購入やサービスの提供以前に行うものもあるが、提供される商品やサービスの種類によっては後払い決済が好都合な状況もある。例えば、複数枚のコピーサービスを受ける場合には、最初に有価データの残数を確認した後であれば、都度有価データを減算してからコピーを行うよりも、最後のコピーが終わった段階でまとめて決済を行う方が利用者側にとって利便性が大きい。
【０００５】
しかしながら、上述したように、非接触型ＩＣカードは、カード配置領域に載置されているだけであるため、指先で弾く等、カード配置領域からＩＣカードを取り除くこともきわめて容易である。従って、仮にＩＣカードの有無を常時監視している状況下であっても、例えば最後のコピーが終了する直前にカード配置領域からＩＣカードが取り除かれた場合には、実施した複数枚のコピーに対する対価をまったく回収できない事態が起こり得る。
【０００６】
ここで、非接触型ＩＣカードを対象としたカード処理装置には、接触型ＩＣカード同様、カードスロットにＩＣカードを挿入した状態で処理を行うものも提供されている（例えば、特許文献１及び２参照）。
【０００７】
カードスロットは、ＩＣカードが唯一挿入することのできる大きさに形成された空間であり、前面のみが開口した構成である。従って、コピー機等の親機器の筐体内部にカード処理装置を配設し、筐体からカードスロットの開口が外部に露出するように構成すれば、ＩＣカードをタイミング良く取り除くことが困難になり、上述の問題を防止することができるようになる。加えて、処理中においては、ＩＣカードの大部分、もしくはそのすべてがカードスロットの内部に隠れることになり、途中でＩＣカードを取り除こうという行為を抑止する効果も期待できる。
【先行技術文献】
【特許文献】
【０００８】
【特許文献１】特開平１０−２１３５０号公報
【特許文献２】特開平２−９３８８５号公報
【発明の概要】
【発明が解決しようとする課題】
【０００９】
しかしながら、本体筐体にカードスロットを開口させたカード処理装置にあっては、その内部にチューイングガム等の異物が挿入されたり、詰め込まれた場合、異物を除去するまでに多大な時間を要することとなり、商品の販売機会やサービスの提供機会を逸することに繋がる。特に、カードスロットからＩＣカードを排出するための排出機構が内蔵されたものの場合には、異物を除去する時間が一層長大化する恐れがある。
【００１０】
本発明は、上記実情に鑑みて、異物が挿入されたり、詰め込まれた場合にも容易に対応することができ、かつ後払い決済を採用した場合にも、より確実に対価を回収することのできるカード処理装置を提供することを目的とする。
【課題を解決するための手段】
【００１１】
上記目的を達成するため、本発明に係るカード処理装置は、本体筐体の外表面にカード配置領域を有し、前記カード配置領域に配置された非接触型ＩＣカードに対して、前記本体筐体の内部に設けた処理制御部との間の無線通信によって所望の処理を行うカード処理装置において、前記カード配置領域との間にＩＣカードの収容域を確保し、かつこの収容域に対するＩＣカードの挿入口を確保した状態で前記カード配置領域を覆うカバー部材を前記本体筐体に対して着脱可能に配設し、かつ前記本体筐体と前記カバー部材との間に施錠手段を設けたものであり、前記施錠手段は、前記カバー部材を前記本体筐体に配設した場合に前記本体筐体に設けたフック挿入孔に挿通されるように前記カバー部材に設けたフック爪と、前記本体筐体に取り付けられ、鍵孔に鍵を挿入した場合にのみ回転可能となるキーシリンダと、前記フック爪に係合可能となる係止壁を有し、前記係止壁が前記フック挿入孔から退避した位置と前記フック挿入孔に突出した位置との間を移動するように前記本体筐体に対してスライド可能に配設したロックスライダと、前記キーシリンダから径外方向に延在して前記ロックスライダに係合し、前記キーシリンダの回転に伴って前記ロックスライダをスライドさせるロックレバーとを備え、前記係止壁が前記フック挿入孔から退避した場合に前記フック挿入孔に対する前記フック爪の挿入を許容する一方、前記フック爪が前記フック挿入孔に挿通された状態で前記係止壁が前記フック挿入孔に突出した場合に前記フック爪を介して前記カバー部材の移動を阻止するものであり、前記本体筐体と前記ロックスライダとの間には、前記係止壁が前記フック挿入孔に対して突出した状態と退避した状態とのいずれか２位置に配置させるクリックバネを設けたことを特徴とする。
【００１２】
また、本発明は、上述したカード処理装置において、前記キーシリンダは、前記本体筐体の外表面に鍵孔を有したことを特徴とする。
【００１３】
また、本発明は、上述したカード処理装置において、前記施錠手段は、前記本体筐体に対する前記カバー部材の移動を阻止する状態が解除された場合、前記カード配置領域から前記カバー部材を押し出すカバー押出手段を備えたことを特徴とする。
【００１４】
また、本発明は、上述したカード処理装置において、前記カード配置領域と前記カバー部材との間において挿入口側の端部に進退可能に配設し、退避した場合にＩＣカードの通過を許容する一方、突出した場合にはＩＣカードの通過を阻止するストッパ部材を備えることを特徴とする。
【００１５】
また、本発明は、上述したカード処理装置において、前記ストッパ部材は、前記本体筐体に形成した貫通孔に配設したものであり、前記本体筐体の内部に設けたアクチュエータの駆動によって進退移動することを特徴とする。
【００１６】
また、本発明は、上述したカード処理装置において、前記カバー部材は、前記カード配置領域に対向する部位に、前記挿入口に近接離反する方向に沿って移動可能に配設し、前記挿入口からＩＣカードが挿入された場合にＩＣカードに押圧されて前記挿入口から離隔する方向に移動するカードホルダと、前記カバー部材に対して前記カードホルダを挿入口側に向けて付勢するエジェクトバネとを備えたものであり、前記エジェクトバネは、前記ストッパ部材が突出した場合に前記カードホルダに挿入されたＩＣカードが前記ストッパ部材に当接することにより引っ張られた状態に維持され、前記ストッパ部材が退避した場合に復元力によって前記カードホルダを挿入口側に移動させることを特徴とする。
【００１７】
また、本発明は、上述したカード処理装置において、前記カードホルダと前記本体筐体との間に、前記エジェクトバネのバネ力による前記カードホルダの移動に抵抗を与える緩衝機構を設けたことを特徴とする。
【００１８】
また、本発明は、上述したカード処理装置において、前記緩衝機構は、前記カードホルダに形成したラックと、このラックに歯合するピニオンギヤと、前記本体筐体に配設し、前記ピニオンギヤの回転に制動を加えるように作用するロータリダンパとを備えて構成したことを特徴とする。
【００１９】
また、本発明は、上述したカード処理装置において、前記処理制御部は、前記本体筐体の内部に無線通信を行うためのアンテナを備え、前記カバー部材には、前記本体筐体のアンテナを覆う位置に電磁遮蔽板を配設したことを特徴とする。
【００２０】
また、本発明は、上述したカード処理装置において、前記本体筐体の上部に位置する外表面に凹部を設けることによって前記カード配置領域を構成し、このカード配置領域を構成する凹部の開口縁部に前記カバー部材を嵌合させることによって前記本体筐体の前面に前記挿入口を開口させ、かつ前記カード配置領域の周囲に位置する本体筐体の外表面に対して連続した面を構成するように前記カバー部材の外表面を形成したことを特徴とする。
【発明の効果】
【００２１】
本発明によれば、本体筐体とカバー部材との間にＩＣカードの収容域が構成されるため、ＩＣカードを容易に取り除くことが困難となる。従って、後払い決済を採用した場合にも、より確実に対価を回収することができる。しかも、施錠手段を解錠すれば、本体筐体に対してカバー部材を取り外すことができるため、収容域に対するＩＣカードの挿入口に異物が挿入されたり、詰め込まれた場合にも、煩雑な作業を要することなく対処することができる。
【図面の簡単な説明】
【００２２】
【図１】図１は、本発明の実施の形態であるカード処理装置の外観を示す斜視図である。
【図２】図２は、図１に示したカード処理装置の外観を示すもので、カバー部材を取り外した状態の斜視図である。
【図３】図３は、図１に示したカード処理装置の外観を示すもので、カバー部材を取り外した状態の平面図である。
【図４−１】図４−１は、図３におけるＡ−Ａ線断面図である。
【図４−２】図４−２は、図４−１に示す状態からカバー部材を前方に移動した状態の断面図である。
【図４−３】図４−３は、図４−２に示す状態からカバー部材を取り外した状態の断面図である。
【図５−１】図５−１は、図３におけるＢ−Ｂ線断面図である。
【図５−２】図５−２は、図５−１に示す状態からカードホルダを奥方に移動した状態の断面図である。
【図６−１】図６−１は、図１に示したカード処理装置に適用する施錠手段の解錠状態を概念的に示す平面図である。
【図６−２】図６−２は、図６−１に示した施錠手段の底面図である。
【図７−１】図７−１は、図６−１に示した施錠手段の施錠状態を概念的に示す平面図である。
【図７−２】図７−２は、図７−１に示した施錠手段の底面図である。
【図８−１】図８−１は、図３におけるＣ−Ｃ線断面図である。
【図８−２】図８−２は、図８−１に示す状態からストッパ部材が進出移動した状態の断面図である。
【図９】図９は、図１に示したカード処理装置に適用するカバー部材を裏側から見た斜視図である。
【図１０】図１０は、図９に示したカバー部材の電磁遮蔽板を示す分解斜視図である。
【図１１】図１１は、図９に示したカバー部材の背面図である。
【図１２】図１２は、図１に示したカード処理装置の制御系を示すブロック図である。
【図１３】図１３は、図１２に示した取扱い制御部が実施するカード取扱い処理の内容を示すフローチャートである。
【発明を実施するための形態】
【００２３】
以下、添付図面を参照しながら本発明に係るカード処理装置の好適な実施の形態について詳細に説明する。
【００２４】
図１〜図３は、本発明の実施の形態であるカード処理装置を示したものである。ここで例示するカード処理装置は、親機であるコピー機に対して子機として付設され、コピー機で実施されたコピーサービスに対して非接触型のＩＣカードＭＣによる後払い決済を行うためのもので、略直方体状を成す本体筐体１の上面にカード配置領域１０を備えている。カード配置領域１０は、本体筐体１の内部に配設したアンテナ２の通信距離範囲内となる位置にＩＣカードＭＣを載置させることのできる大きさの凹部を設けることによって構成したもので、前端に開口する一方、左右両側端及び後方端がそれぞれ鉛直方向に延在する側壁１ａ，１ｂ及び後壁１ｃによって囲まれた上面視ほぼ矩形状を成している。カード配置領域１０の底壁において前半部に位置する部分には、台状部１ｄを構成してある。台状部１ｄは、カード配置領域１０において後方に位置する部分よりも一段高く形成した部分であり、その上面がほぼ平坦に構成してある。尚、図中の符号１ｅは、台状部１ｄの前端中央部に形成した操作用凹部である。この操作用凹部１ｅは、カード配置領域１０にＩＣカードＭＣを載置させた際にＩＣカードＭＣの手前端部下面との間に隙間を作るためのもので、ＩＣカードＭＣよりも小さい幅に形成してある。
【００２５】
このカード配置領域１０には、左右一対の爪係止凹部１１、左右一対のフック挿入孔１２、左右一対のロッド挿通孔１３、唯一のカバー検出用凹部１４、唯一のカード検出用凹部１５が形成してあるとともに、ピニオンギヤ２０が配設してある。一対の爪係止凹部１１は、図３及び図４−１〜図４−３に示すように、本体筐体１の前後方向に沿ったスリット状を成すもので、台状部１ｄの両側において側壁１ａ，１ｂとの会合部に形成してある。それぞれの爪係止凹部１１は、後方に位置する面が開口しており、台状部１ｂの底壁に対して後述するスライド爪５３のスライド係止部５３ｂを係合可能としている。一対のフック挿入孔１２は、矩形状を成す開口であり、カード配置領域１０の後壁１ｃに互いに間隔をもって貫設してある。一対のロッド挿通孔１３は、カード配置領域１０の台状部１ｄにおいて前縁に位置する部位に並設した貫通孔である。より詳細には、カード配置領域１０にＩＣカードＭＣを載置させた際にＩＣカードＭＣの手前端縁よりもさらに前方においてＩＣカードＭＣの手前端と対向する位置に一対のロッド挿通孔１３が形成してある。カバー検出用凹部１４及びカード検出用凹部１５は、図３及び図５−１、図５−２に示すように、それぞれ本体筐体１の前後方向に沿ったスリット状を成すもので、カード配置領域１０の底壁において一方の側壁１ｂに近接した部位、本実施の形態では図３に示すように、正面向かって右側となる部位に、互いに前後となるように並設してある。図からも明らかなように、カード検出用凹部１５は、カバー検出用凹部１４よりも大きな長さを有したもので、カバー検出用凹部１４の後方となる位置に形成してある。これらカバー検出用凹部１４及びカード検出用凹部１５には、図４−１〜図５−２に示すように、それぞれの内部に検出センサ１４ａ，１５ａが配設してある。カバー検出用凹部１４に配設したカバー検出センサ１４ａは、カバー検出用凹部１４において物体の有無を検出するものであり、カード検出用凹部１５に配設したカード検出センサ１５ａは、カード検出用凹部１５の後方部において物体の有無を検出するものである。本実施の形態では、これらの検出センサ１４ａ，１５ａとして、いずれも光学的に物体の有無を検出するものを適用している。
【００２６】
ピニオンギヤ２０は、カード配置領域１０の底壁に対して直交するピニオン軸２１を中心として回転する小径の平歯車であり、ロータリダンパ２２を介してカード配置領域１０の底壁に配設してある。ロータリダンパ２２は、ピニオンギヤ２０が回転した場合に、これに制動を加えるように作用するもので、ピニオンギヤ２０と一体のユニットとして構成してある。このロータリダンパ２２は、カード配置領域１０の底壁に設けた前後一対の爪片１６の間に係止してあり、これら一対の爪片１６に対してスライドさせることにより、カード配置領域１０の底壁に対して着脱することが可能である。
【００２７】
図４−１〜図８−２に示すように、本体筐体１の内部においてカード配置領域１０に対応する部位には、ロックスライダ（施錠手段）３０及び左右一対のストッパロッド（ストッパ部材）４０が設けてある。ロックスライダ３０は、本体筐体１の内部においてカード配置領域１０の後壁１ｃに当接する位置に左右方向に移動可能に配設したもので、左右一対の係止壁３１，３２及び唯一の押圧傾斜壁（カバー押出手段）３３を有している。一対の係止壁３１，３２は、図６−１に示すように、ロックスライダ３０が図中の左方側に移動した場合にフック挿入孔１２から退避して後壁１ｃに重なる位置に配置される一方、図７−１に示すように、ロックスライダ３０が図中の右方側に移動した場合には、フック挿入孔１２に突出した位置に配置されるものである。押圧傾斜壁３３は、図６−１に示すように、図中の右側に位置する係止壁３２の左端から左方に向けて漸次後方に傾斜する部分であり、図中の左側に位置する係止壁３１との間の間隙に臨むように設けてある。
【００２８】
このロックスライダ３０には、ロックレバー（施錠手段）３４が係合させてある。ロックレバー３４は、本体筐体１に取り付けたキーシリンダ（施錠手段）３５から径外方向に延在したもので、その先端部を介してロックスライダ３０の係合切欠３０ａに係合している。このロックレバー３４は、キーシリンダ３５が回転した場合に本体筐体１に対してロックスライダ３０を左右方向にスライドさせるものである。キーシリンダ３５は、図１〜図３に示すように、本体筐体１の上面に外部に露出した鍵孔３５ａを有し、この鍵孔３５ａに正規の鍵を挿入した場合にのみ回転操作が可能となる。
【００２９】
図６−２及び図７−２に示すように、ロックスライダ３０と本体筐体１との間には、クリックバネ３６が設けてある。クリックバネ３６は、ロックスライダ３０に設けた一方の係止壁３１から他方の係止壁３２に向けて漸次後方に傾斜するように延在した板状を成す弾性部材である。このクリックバネ３６は、図７−２に示すように、ロックスライダ３０の係止壁３１，３２が本体筐体１のフック挿入孔１２に突出した状態にある場合、先端部が本体筐体１に設けた収容凹所１ｆに位置し、かつ傾斜した部分の中間部に本体筐体１の当接稜１ｇが当接した状態にある。これに対してロックスライダ３０の係止壁３１，３２が本体筐体１のフック挿入孔１２から退避した場合には、図６−２に示すように、クリックバネ３６の先端部のみが当接稜１ｇを乗り越えた位置において本体筐体１と当接し、傾斜部分が前方に向けて撓んだ状態に維持される。さらに、図６−２に示す状態からロックスライダ３０を図中の左方側に移動させると、クリックバネ３６の先端部が当接稜１ｇを越えた時点で傾斜部分が当接稜１ｇに当接することになる。この状態においては、クリックバネ３６の弾性復元力によって傾斜部分が後方に揺動することになり、この揺動に伴ってロックスライダ３０がスライドし、図７−２に示した状態に復帰する。すなわち、クリックバネ３６は、ロックスライダ３０の係止壁３１，３２が本体筐体１のフック挿入孔１２に対して突出した状態と退避した状態とのいずれか２位置に配置させるものである。
【００３０】
ストッパロッド４０は、図８−１、図８−２に示すように、カード配置領域１０のロッド挿通孔１３に嵌合し、かつカード配置領域１０の底壁上面に対して出没移動するように配設したもので、本体筐体１の内部において支持体４１及びリンク部材４２を介してロック用電磁ソレノイド（アクチュエータ）４３のプランジャ４４に連係させてある。支持体４１は、本体筐体１の前端部において左右方向に延在し、上下方向に沿って移動可能に配設されたもので、ストッパロッド４０の下端部間に架設する状態でストッパロッド４０に連結している。リンク部材４２は、左右方向に沿って水平に延在するリンク軸４２ａを中心として本体筐体１に揺動可能に配設したもので、上端部にスライドピン４２ｂを有し、かつ下端部にプランジャピン４２ｃを有している。スライドピン４２ｂ及びプランジャピン４２ｃは、それぞれリンク軸４２ａと平行となるように延在したもので、スライドピン４２ｂが支持体４１のカム溝４１ａに挿通させてあり、かつプランジャピン４２ｃがプランジャ４４の先端部に挿通させてある。ロック用電磁ソレノイド４３は、プランジャ４４においてリンク部材４２との間にリターンバネ４５を介在させたもので、消磁した場合にリターンバネ４５のバネ力によってプランジャ４４が突出する一方、励磁した場合にはリターンバネ４５のバネ力に抗してプランジャ４４を縮退させるものである。プランジャ４４が突出した状態においては、図８−１に示すように、リンク部材４２の上端部が後方に向けて傾いた状態となり、本体筐体１に対して支持体４１が下方に移動するためストッパロッド４０がカード配置領域１０の底壁上面から没入した状態に維持される。これに対してプランジャ４４が縮退した場合には、リンク部材４２の上端部が前方に向けて揺動し、ほぼ鉛直方向に沿った状態となる。これにより、支持体４１が本体筐体１に対して上方に移動することになり、ストッパロッド４０がカード配置領域１０の底壁正面から突出することになる。
【００３１】
一方、このカード処理装置には、カード配置領域１０にカバー部材５０が設けてある。カバー部材５０は、図１〜図３に示すように、上面視がカード配置領域１０の開口縁部に嵌合することのできる大きさを有した略矩形状を成すもので、カード配置領域１０の操作用凹部１ｅに対応する部位に操作用切欠５０ａを有している。操作用切欠５０ａは、操作用凹部１ｅに対応した切欠であり、カバー部材５０をカード配置領域１０に嵌合させた場合に、操作用凹部１ｅに合致する位置に形成してある。図９に示すように、カバー部材５０の裏面には、その両側縁部に下方に突出する突出部５０ｂが設けてあり、互いの間にＩＣカードＭＣを収容することのできる収容域５１を確保している。カバー部材５０の外表面は、カード配置領域１０に嵌合させた場合に、カード配置領域１０の周囲に位置する本体筐体１の外表面に対して連続した面を構成するように構成してある。
【００３２】
図９及び図１０に示すように、本実施の形態で適用するカバー部材５０は、表面板部５０Ａと裏面板部５０Ｂとを有し、互いの間に電磁遮蔽板５０Ｃを介在させた状態で表面板部５０Ａ及び裏面板部５０Ｂを重ね合わせることによって構成してある。電磁遮蔽板５０Ｃは、図３に示すように、鉄製の薄板であり、カバー部材５０をカード配置領域１０に嵌合させた場合に本体筐体１に設けたアンテナ２の上方域を完全に覆うように構成してある。
【００３３】
このカバー部材５０には、左右一対のフック爪（施錠手段）５２、左右一対のスライド爪５３、唯一のカバー検出用突起５４、カードホルダ６０が設けてある。
【００３４】
一対のフック爪５２は、図３、図４−３、図９、図１１に示すように、裏面板部５０Ｂの後面から後方に向けて突設したもので、カード配置領域１０のフック挿入孔１２に対応する部位に形成してある。フック爪５２は、裏面板部５０Ｂの後面から互いに平行となるように突出したフック基部５２ａと、各フック基部５２ａの突出端部から互いに同一方向に向けて直角に屈曲したフック係合部５２ｂとを有したものである。これらのフック爪５２は、ロックスライダ３０の係止壁３１，３２がフック挿入孔１２から退避している状態において、図４−２に示すように、カード配置領域１０の前端部にカバー部材５０を載置させた後、カバー部材５０を後方にスライドさせた場合に、図４−１に示すように、フック挿入孔１２に挿通することのできる大きさに構成してある。
【００３５】
一対のスライド爪５３は、図３、図４−３、図９、図１１に示すように、裏面板部５０Ｂの前端部両側から下方に向けて突設したもので、カード配置領域１０の爪係止凹部１１に挿入することのできる大きさに形成してある。スライド爪５３は、裏面板部５０Ｂの下面から下方に向けて突設したスライド基部５３ａと、各スライド基部５３ａの下端部から後方に向けて屈曲したスライド係止部５３ｂとを有したものである。
【００３６】
これらのスライド爪５３は、カード配置領域１０の前端部にカバー部材５０を載置させた場合に、図４−２に示すように、それぞれ爪係止凹部１１に挿通され、この状態のままカバー部材５０を後方にスライドさせてフック爪５２がフック挿入孔１２に挿通された場合、個々のスライド係止部５３ｂが台状部１ｄの底壁に係合される。スライド爪５３のスライド係止部５３ｂが台状部１ｄの底壁に係合された状態においては、カバー部材５０の前端部がカード配置領域１０から離隔する上方への移動が阻止されることになる。
【００３７】
ここで、上述したフック爪５２がフック挿入孔１２に挿通された状態で上述したロックスライダ３０をスライドさせ、係止壁３１，３２をフック挿入孔１２に突出させると、図７−１、図７−２に示すように、それぞれの係止壁３１，３２がフック爪５２のフック係合部５２ｂと裏面板部５０Ｂの後面との間に介在した状態となる。これにより、カード配置領域１０に対してカバー部材５０の前方への移動が阻止される。
【００３８】
つまり、図７−１、図７−２に示す状態においては、本体筐体１に対してカバー部材５０の前方への移動及び上方への移動が阻止されており、カバー部材５０をカード配置領域１０から取り外すことができない。
【００３９】
この状態からロックスライダ３０を逆方向にスライドさせ、図６−１、図６−２に示すように、再び係止壁３１，３２をフック挿入孔１２から退避させれば、係止壁３１，３２がフック爪５２のフック係合部５２ｂと裏面板部５０Ｂの後面との間から逸脱し、カード配置領域１０に対してカバー部材５０を前方に移動させることができるようになる。このとき、本実施の形態では、ロックスライダ３０に押圧傾斜壁３３を設けるようにしているため、ロックスライダ３０が図７−１に示す状態から図６−１に示す状態にスライドする際に一方のフック爪５２に当接して前方に向けて押圧する。これにより、カバー部材５０がカード配置領域１０に対して前方に移動し、スライド爪５３のスライド係止部５３ｂが台状部１ｄの底壁に係合した状態も解除されることになる。従って、カバー部材５０を上方に移動させれば、カード配置領域１０から取り外すことができるようになる。
【００４０】
カバー検出用突起５４は、裏面板部５０Ｂの前端部下面から下方に向けて突設した舌片状部材である。このカバー検出用突起５４は、カード配置領域１０の前端部にカバー部材５０を載置させた場合にカード配置領域１０のカバー検出用凹部１４に配置され、そのままカバー部材５０の後方にスライドさせてフック爪５２をフック挿入孔１２に挿通させた場合に、図５−１に示すように、カバー検出センサ１４ａによって検出されるように構成してある。
【００４１】
カードホルダ６０は、図９及び図１１に示すように、カバー部材５０の裏面に確保した収容域５１の後方及び下方を覆う部分を有し、この収容域５１にＩＣカードＭＣを保持するためのもので、裏面板部５０Ｂの裏面側に前後方向に沿ってスライド可能に配設してある。より具体的には、図４−１〜図５−２、図９、図１１に示すように、裏面板部５０Ｂの両側面にそれぞれ前後方向に沿って延在するガイドレール５５を形成する一方、カードホルダ６０の両側に裏面板部５０Ｂの側面を覆うガイド部６１を形成し、各ガイド部６１にガイドレール５５に嵌合するガイド溝６１ａを形成することにより、カバー部材５０に対してカードホルダ６０が前後方向にスライド可能に支持させてある。カードホルダ６０とカバー部材５０との間には、エジェクトバネ６２が介在させてある。エジェクトバネ６２は、裏面板部５０Ｂの両側部において裏面板部５０Ｂとカードホルダ６０との間に介在する引張バネであり、カバー部材５０に対してカードホルダ６０を常時前方に向けて付勢し、カードホルダ６０をカバー部材５０に設けた当接片５６に当接した状態に維持している。
【００４２】
カードホルダ６０には、カード検出用突起６３及びラック６４が設けてある。カード検出用突起６３は、カードホルダ６０の下面から下方に向けて突設した舌片状部材である。このカード検出用突起６３は、カード配置領域１０の前端部にカバー部材５０を載置させた場合にカード配置領域１０のカード検出用凹部１５の前方部に配置され、そのままカバー部材５０を後方にスライドさせてフック爪５２をフック挿入孔１２に挿通させた場合にも、図５−１に示すように、カードホルダ６０が当接片５６に当接している限り、カード検出センサ１５ａによって検出されないように構成してある。この状態からカバー部材５０に対してカードホルダ６０が後方に移動され、図５−２に示すように、カードホルダ６０がカバー部材５０に対して最後方に配置された場合には、カード検出用突起６３がカード検出センサ１５ａによって検出されることになる。
【００４３】
ラック６４は、カバー部材５０がカード配置領域１０に嵌合された場合にピニオンギヤ２０に歯合するもので、カバー部材５０の前後方向に沿って配設してある。このラック６４は、カバー部材５０に対してカードホルダ６０がもっとも前方に配置された状態からもっとも後方に配置された状態までの間、継続してピニオンギヤ２０に歯合できるように構成してある。
【００４４】
図１２は、カード処理装置におけるＩＣカードＭＣの取扱いに関わる制御系を示したものである。図１２において取扱い制御部１００は、取り出しボタン７０、カバー検出センサ１４ａ、カード検出センサ１５ａからの出力信号に基づいてロック用電磁ソレノイド４３の駆動制御及び表示装置７１に対する表示制御を行うものである。取り出しボタン７０は、本体筐体１の上面に設けられた押ボタンである。取り出しボタン７０が押圧操作された場合、取扱い制御部１００に対して操作信号が与えられることになる。尚、図には明示していないが、取り出しボタン７０のキートップには、自身を点灯するランプが内蔵されている。表示装置７１は、本体筐体１の外部に表示を行うためのものである。本実施の形態では、液晶表示器によって表示装置７１を構成している。処理制御部１１０は、取扱い制御部１００及びコピー機２００からの制御信号に基づき、アンテナ２を介してＩＣカードＭＣに対するデータの読み取りや書き込み等の処理を行うものである。処理制御部１１０は、コピー機２００に対してコピー許可信号を出力する機能も有している。
【００４５】
図１３は、上述した取扱い制御部１００が所定のサイクルタイムごとに繰り返し実施するカード取扱い処理の内容を例示したフローチャートである。以下、このフローチャートを適宜参照しながら、カード処理装置の動作について説明する。
【００４６】
まず、上述のカード処理装置では、カード配置領域１０にカバー部材５０を嵌合させ、スライド爪５３を台状部１ｄの底壁に係合させるとともに、フック爪５２をロックスライダ３０に係合させた状態が使用待機状態となる。この状態においては、カード配置領域１０の上方部がカバー部材５０によって閉塞された状態になるものの、ロック用電磁ソレノイド４３が消磁され、ストッパロッド４０がカード配置領域１０の底壁上面から没入した状態にあるため、図１に示すように、カード配置領域１０の前端部とカバー部材５０との間に挿入口１０ａが開口することになり、この挿入口１０ａを介してカード配置領域１０にＩＣカードＭＣを挿入することができる。
【００４７】
この使用待機状態において、取扱い制御部１００は、カバー検出センサ１４ａを監視し、カバー部材５０がカード配置領域１０に正確に嵌合された状態にあるか否かを判断している（ステップＳ１０１）。カバー部材５０がカード配置領域１０に嵌合されていないと判断した場合（ステップＳ１０１：Ｎｏ）、取扱い制御部１００は、例えば表示装置７１にエラー表示を行った後、後述の手順を実施することなく今回の処理を終了する。
【００４８】
これに対してカバー部材５０がカード配置領域１０に嵌合されていると判断した場合（ステップＳ１０１：Ｙｅｓ）、取扱い制御部１００は、カード検出センサ１５ａを通じてカード配置領域１０にＩＣカードＭＣが配置されているか否かを判断する（ステップＳ１０２）。ＩＣカードＭＣが配置されていないと判断した場合（ステップＳ１０２：Ｎｏ）、取扱い制御部１００は、例えば表示装置７１を通じて利用者に対する操作案内表示を行い、その後、後述の手順を実施することなく今回の処理を終了する。
【００４９】
一方、利用者が挿入口１０ａからＩＣカードＭＣが挿入すると、その挿入押圧力により、エジェクトバネ６２のバネ力に抗してカードホルダ６０が後方に移動する。ＩＣカードＭＣの手前端がロッド挿通孔１３の位置を越えると、カードホルダ６０のカード検出用突起６３がカード検出センサ１５ａに到達することになり、カード検出センサ１５ａの検出結果が取扱い制御部１００に出力される（ステップＳ１０２：Ｙｅｓ）。カード検出センサ１５ａを通じてカード配置領域１０に対するＩＣカードＭＣの挿入を検出した取扱い制御部１００は、直ちにロック用電磁ソレノイド４３を励磁させてプランジャ４４を縮退させる（ステップＳ１０３）。この結果、カード配置領域１０の底壁上面からストッパロッド４０が上方に進出移動し、ＩＣカードＭＣの手前端縁に対向して配置されるため、ＩＣカードＭＣがストッパロッド４０に当接することにより、ＩＣカードＭＣから手を離しても、エジェクトバネ６２のバネ力に抗してＩＣカードＭＣがカード配置領域１０に留まることになる。
【００５０】
一方、ロック用電磁ソレノイド４３を励磁している間、取扱い制御部１００からは、処理制御部１１０に対してＩＣカードＭＣの処理許可信号が出力されることになり、ＩＣカードＭＣに記録された有価データを用いたコピーサービスが実施可能となる。例えば、処理許可信号を受信した処理制御部１１０では、ＩＣカードＭＣの有価データに残数があるか否かを判断し、残数がある場合、コピー機２００に対して許可信号を出力する。これにより、利用者は、コピー機２００によるコピーサービスを受けることができるようになる。すべてのコピーが終了すると、実施したコピーの枚数や用紙サイズ等の実施情報がコピー機２００から処理制御部１１０に与えられ、処理制御部１１０によって算出された対価がＩＣカードＭＣから減算処理される。減算処理を終了した処理制御部１１０は、取扱い制御部１００に対して処理終了信号を出力する。
【００５１】
処理終了信号を受信した取扱い制御部１００は、取り出しボタン７０を有効化するとともに、内蔵ランプを点灯させた後、取り出しボタン７０が操作されたか否かを監視する（ステップＳ１０４）。利用者によって取り出しボタン７０がＯＮ操作されると（ステップＳ１０４：Ｙｅｓ）、取扱い制御部１００は、ロック用電磁ソレノイド４３を消磁させ、手順をリターンさせる。ロック用電磁ソレノイド４３が消磁されると、ストッパロッド４０がカード配置領域１０の底壁上面から没入するため、エジェクトバネ６２のバネ力により、カードホルダ６０を介してＩＣカードＭＣが排出され、利用者の手に戻る。
【００５２】
エジェクトバネ６２のバネ力によってカードホルダ６０が前方に移動する際には、ラック６４に歯合するピニオンギヤ２０がロータリダンパ２２によって制動が加えられるため、ＩＣカードＭＣが勢い良く飛び出て、カードホルダ６０から逸脱してしまう事態を招来することがなく、ＩＣカードＭＣの排出位置を一定に保つことが可能となる。尚、ステップＳ１０４において取り出しボタン７０がＯＮ操作されていない場合、取扱い制御部１１０は、ステップＳ１０５の処理を実施することなく今回の処理を終了する。
【００５３】
上述したカード取扱い処理においては、ＩＣカードＭＣに対して読み取りや書き込み等の処理を実施している間、ＩＣカードＭＣがカバー部材５０と本体筐体１との間に構成された収容域５１に収容され、かつストッパロッド４０によって収容域５１からの取り出しが阻止されているため、利用者によるＩＣカードＭＣの抜き取りを防止することができる。また、ＩＣカードＭＣの大部分がカバー部材５０によって覆われた状態となるため、途中でＩＣカードＭＣを抜き取ろうという行為を抑止する効果も期待することができる。従って、すべてのコピーが終了した後に、処理制御部１１０によって後払い決済を行う場合にも、確実に対価を回収することが可能となる。
【００５４】
しかも、カード配置領域１０を覆うカバー部材５０は、キーシリンダ３５の鍵孔３５ａに鍵を挿入して回転操作すれば、ロックスライダ３０とフック爪５２との係合状態を解除することによって本体筐体１から取り外すことが可能である。従って、例えば挿入口１０ａにチューイングガム等の異物が挿入されたり、詰め込まれたとしても、カバー部材５０を取り外すことによって容易に除去することができ、コピーサービスの停止時間を最小限に留めることができる。特に、本実施の形態では、カバー部材５０にＩＣカードＭＣを保持するためのカードホルダ６０を支持させるとともに、カードホルダ６０の移動に抵抗を与えるための緩衝機構、つまりラック６４、ピニオンギヤ２０、ロータリダンパ２２からなる緩衝機構のうち、ラック６４をカードホルダ６０に設け、かつピニオンギヤ２０及びロータリダンパ２２を本体筐体１に設けるようにしているため、カバー部材５０を取り外した状態のカード配置領域１０をより簡単な構造とすることができ、異物の除去作業もきわめて容易となる。尚、カバー部材５０やカードホルダ６０に異物が付着していた場合には、これらをすべて交換して対処することも可能であり、コピーサービスの停止時間をさらに短くすることができる。
【００５５】
また、カバー部材５０において本体筐体１のアンテナ２に対応する部位に電磁遮蔽板５０Ｃを設けるようにしている。従って、カバー部材５０の上面にＩＣカードＭＣを載置させた状態では、ＩＣカードＭＣに対して読み取りや書き込みを行うことができない。これにより、カバー部材５０の上面にＩＣカードＭＣを載置させて不正を行うことも困難となる。
【００５６】
尚、上述した実施の形態では、コピー機に付設されるカード処理装置を例示しているが、必ずしもこれに限定されない。
【００５７】
さらに、上述した実施の形態では、鍵孔が本体筐体の外部に露出したキーシリンダを適用する施錠手段を適用しているため、カバー部材を取り外す際の作業をより容易に行うことが可能になるが、必ずしも本体筐体の外部から施錠状態と解錠状態とを切り替えるものである必要はない。
【符号の説明】
【００５８】
１      本体筐体
２      アンテナ
１０      カード配置領域
１０ａ      挿入口
１１      爪係止凹部
１２      フック挿入孔
１３      ロッド挿通孔
１４      カバー検出用凹部
１４ａ      カバー検出センサ
１５      カード検出用凹部
１５ａ      カード検出センサ
２０      ピニオンギヤ
２１      ピニオン軸
２２      ロータリダンパ
３０      ロックスライダ
３１，３２      係止壁
３３      押圧傾斜壁
３４      ロックレバー
３５      キーシリンダ
３５ａ      鍵孔
３６      クリックバネ
４０      ストッパロッド
４１      支持体
４２      リンク部材
４３      ロック用電磁ソレノイド
４４      プランジャ
４５      リターンバネ
５０      カバー部材
５０Ｃ      電磁遮蔽板
５１      収容域
５２      フック爪
５３      スライド爪
５４      カバー検出用突起
６０      カードホルダ
６２      エジェクトバネ
６３      カード検出用突起
６４      ラック
１００      取扱い制御部
１１０      処理制御部
ＭＣ      ＩＣカード
【図１】
0005462717.tif 000002
【図２】
0005462717.tif 000003
【図３】
0005462717.tif 000004
【図４−１】
0005462717.tif 000005
【図４−２】
0005462717.tif 000006
【図４−３】
0005462717.tif 000007
【図５−１】
0005462717.tif 000008
【図５−２】
0005462717.tif 000009
【図６−１】
0005462717.tif 000010
【図６−２】
0005462717.tif 000011
【図７−１】
0005462717.tif 000012
【図７−２】
0005462717.tif 000013
【図８−１】
0005462717.tif 000014
【図８−２】
0005462717.tif 000015
【図９】
0005462717.tif 000016
【図１０】
0005462717.tif 000017
【図１１】
0005462717.tif 000018
【図１２】
0005462717.tif 000019
【図１３】
0005462717.tif 000020